(57)【要約】【課題】操作棒の先端に取り付けられる先端工具の操作自由度を高めて、作業位置が変更された場合でも作業を的確に行うことが可能な角型菊座アダプタを提供する。【解決手段】角型菊座アダプタ１は、操作棒を接続可能とするジョイント部２と、このジョイント部２と一体をなすアダプタ本体３とを有する。アダプタ本体３は、操作棒の軸方向と略平行となる第１の面５ａを有する第1の壁部５と、第１の面５ａに対して垂直となる第２の面６ａを有する第２の壁部６と、を備える。アダプタ本体３の第１の壁部５の第1の面５ａには第1の菊座部７が設けられ、アダプタ本体３の第２の壁部６の第２の面６ａには第２の菊座部８が設けられる。第１の壁部５及び第２の壁部６には、第１の菊座部７の中心から第２の菊座部８の中心にかけてスリット１０が形成され、このスリット１０に対して移動可能に挿通させたボルト１１と、このボルトに螺合する蝶ナット１２とが設けられる。【選択図】    図１
2016103913.tif 000002
【特許請求の範囲】
【請求項１】
操作棒を接続可能とするジョイント部と、このジョイント部と一体をなし、接続される前記操作棒の軸方向と略平行となる第１の面を有する第1の壁部及び前記第１の面に対して垂直となる第２の面を有する第２の壁部を有するアダプタ本体とを備え、
前記アダプタ本体の前記第１の壁部の前記第1の面に第1の菊座部を設け、また、前記アダプタ本体の前記第２の壁部の前記第２の面に第２の菊座部を設け、
前記第１の壁部及び前記第２の壁部に前記第１の菊座部の中心から前記第２の菊座部の中心にかけてスリットを形成し、
このスリットに対して移動可能に挿通させた先端工具取り付け用のボルトと、このボルトに螺合する蝶ナットとを有することを特徴とする角型菊座アダプタ。
【請求項２】
前記アダプタ本体は、前記操作棒の軸方向と略平行となる第１の壁部と、前記第１の壁部に対して垂直となる第２の壁部とを備えたＬ字状の部材によって構成され、前記第１の面は前記第１の壁部の外側面によって構成され、前記第２の面は前記第２の壁部の外側面によって構成されることを特徴とする請求項１記載の角型菊座アダプタ。
【請求項３】
前記アダプタ本体は、前記操作棒の軸方向と略平行となる第１の壁部と、前記第１の壁部に対して垂直となる第２の壁部と、前記第１の壁部と平行となる第３の壁部と、前記第２の壁部と平行となる第４の壁部とを順次連接した中空の矩形枠体状の部材によって構成され、前記第１の面は前記第１の壁部の外側面によって構成され、前記第２の面は前記第２の壁部の外側面によって構成されることを特徴とする請求項１記載の角型菊座アダプタ。
【請求項４】
前記ボルトの頭部と前記アダプタ本体の壁部との間にワッシャを介在させたことを特徴とする請求項１乃至３のいずれかに記載の角型菊座アダプタ。
【発明の詳細な説明】
【技術分野】
【０００１】
本発明は、間接活線先端工具を操作棒に装着する際に用いる菊座アダプタに関し、先端工具を直交する２方向に装着することが可能な角型菊座アダプタに関する。
【背景技術】
【０００２】
従来、間接活線工法により電線の癖直しをするために用いる電線ベンダ装置としては、下記する特許文献１に示されるように、菊座アダプタに連結する菊座部を備えると共に、棒状の短尺部材に一対のピンを螺合させて立設させたものや（特許文献１参照）、図５（ａ），（ｂ）に示されるように、電線ベンダ装置１００のヘッド部１０１に菊座アダプタ１１０と連結する菊座部１０５を設けると共に、十字状に形成された支持基体１０２の端部４箇所に支軸１０４を立設させてローラ１０３を設けたもの等が公知となっている。
【０００３】
菊座アダプタ１１０は、電線ベンダ装置１００のヘッド部１０１と連結接続するヘッド部１１１と、絶縁操作棒の先端に連結接続するジョイント部１１２とが一体化されているもので、ヘッド部１１１には、絶縁操作棒の軸心と平行をなす菊座面１１１ａが設けられ、そこに複数の突起を円環状に配列した菊座部１０６を形成し、電線ベンダ装置１００のヘッド部１０１に設けられた菊座部１０５と噛み合い係合させることで電線ベンダ装置１００を連結接続できるようにしている。
【０００４】
菊座アダプタ１１０のヘッド部１１１は、菊座部１０６の中心に立設されているボルト１１３に蝶ナット１１４を螺合させることにより電線ベンダ装置１００のヘッド部１０１との係合状態（電線ベンダ装置１００の菊座部１０５と菊座アダプタ１１０の菊座部１０６との噛合状態）を固定するもので、電線ベンダ装置１００のヘッド部１０１を所望の取付角度で連結接続できるようになっている。したがって、電線ベンダ装置１００は、菊座アダプタ１１０の菊座部１０６が形成された平面上でのみ所望の取付角度となるように連結される。
【先行技術文献】
【特許文献】
【０００５】
【特許文献１】特開２００８−１２５２９４号公報
【発明の概要】
【発明が解決しようとする課題】
【０００６】
しかしながら、上述の従来の菊座アダプタを用いて電線ベンダ装置を取り付ける場合には、電線ベンダ装置のピンやローラが操作棒の軸心に対して垂直方向に立設された状態で固定されているので、電線の癖直しを行う作業においては、次のような不都合がある。
【０００７】
電線（引下線）を地上から見上げて下方から電線ベンダ装置をアプローチして電線の癖直し作業を行う場合には、ピンやローラが操作棒に対して垂直方向（水平方向）に立設されるので、そのまま電線にピンやローラを引っ掛けて自分の方へ引っ張りながら（押し下げるようにして）電線の癖を直せばいいが、柱上等から横方向に操作棒を伸ばして電線（引下線）の癖直し作業を行う場合には、作業者から遠い側にある電線においては、その電線を自分の方へ引っ張ると、手前にある電線等と接触する不都合がある。
このため、作業位置によらずに他の電線等との接触を回避できる工具の開発が臨まれていた。
【０００８】
本発明は係る事情に鑑みてなされたものであり、操作棒の先端に取り付けられる先端工具による操作自由度を高めて、作業位置が変更された場合でも作業を的確に行うことが可能なアダプタを提供することを主たる課題としている。
【課題を解決するための手段】
【０００９】
上記課題を達成するために、本発明に係るアダプタは、共用操作棒に接続されるジョイント部と、このジョイント部と一体をなし、接続される前記共用操作棒の軸方向と略平行となる第１の面を有する第1の壁部と、前記第１の面に対して垂直となる第２の面を有する第２の壁部とを有するアダプタ本体とを備え、前記アダプタ本体の前記第１の壁部の前記第1の面に第1の菊座部を設け、また、前記アダプタ本体の前記第２の壁部の前記第２の面に第２の菊座部を設け、前記第１の壁部及び前記第２の壁部に前記第１の菊座部の中心から前記第２の菊座部の中心にかけてスリットを形成し、このスリットに対して（頭部を内側にして）移動可能に挿通させる先端工具取り付け用のボルトと、このボルトに螺合する蝶ナットとを有する角型菊座アダプタとしたことを特徴としている。
【００１０】
したがって、先端工具を第１の菊座部と第２の菊座部のいずれかを選択して取り付けることで、先端工具の軸心を操作棒の軸心に沿って取り付けることも、また、先端工具の軸心を操作棒の軸心に対して９０度異なるように取り付けることも可能となり、先端工具による操作の自由度を大きくすることが可能となる。
【００１１】
このため、柱上作業などにおいても他の電線との干渉を避けつつ間接活線作業を行うことが可能となる。例えば、電線ベンダ装置を取り付けた操作棒を用いて柱上から電線の癖直しを行う場合には、第２の菊材部に電線ベンダ装置を取り付けることで、操作棒を水平にして作業を行う場合でも、電線ベンダ装置のピンやローラを水平に保つことが可能となり、電線にピンやローラを当接させて電線ベンダ装置を下方へ下げるように電線に押し付けることで、隣接する電線との接触を回避しつつ電線の癖直しを行うことが可能となる。
【００１２】
なお、アダプタ本体の態様としては、アダプタ本体を、前記操作棒の軸方向と略平行となる第１の壁部と、前記第１の壁部に対して垂直となる第２の壁部とを備えたＬ字状の部材によって構成し、前記第１の面を前記第１の壁部の外側面によって構成し、前記第２の面を前記第２の壁部の外側面によって構成するようにしても、また、前記操作棒の軸方向と略平行となる第１の壁部と、前記第１の壁部に対して垂直となる第２の壁部と、前記第１の壁部と平行となる第３の壁部と、前記第２の壁部と平行となる第４の壁部とを順次連接した中空の矩形枠体状の部材によって構成し、前記第１の面を前記第１の壁部の外側面によって構成し、前記第２の面を前記第２の壁部の外側面によって構成するようにしてもよい。
【００１３】
また、アダプタ本体に対して先端工具の菊座部が設けられたヘッドをしっかり固定するために、ボルトの頭部とアダプタ本体の壁部との間にワッシャを介在させるようにしてもよい。
【発明の効果】
【００１４】
以上述べたように、本発明に係る角型菊座アダプタによれば、操作棒の軸方向と略平行をなす第１の面を有する第1の壁部と、第１の面に対して垂直となる第２の面を有する第２の壁部とを有するアダプタ本体とを備え、第１の壁部の第1の面に第1の菊座部を設け、また、第２の壁部の第２の面に第２の菊座部を設け、第１の壁部と第２の壁部に第１の菊座部の中心から第２の菊座部の中心にかけてスリットを形成し、このスリットを挿通するボルトとこれに螺合する蝶ナットとを有しているので、先端工具を第１の菊座部と第２の菊座部とを選択して取り付けることが可能となり、操作棒の先端に取り付ける先端工具の操作自由度を高めることが可能となる。
【００１５】
このため、作業位置にかかわらず、隣接する電線と接触することなく電線の癖取り作業を行うこと等が可能となり、作業がやり方に自由度を持たせることができ、作業効率を高めることが可能となると共に作業位置が変更された場合でも作業を的確に行うことが可能となる。
【図面の簡単な説明】
【００１６】
【図１】図１は、本発明に係る角型菊座アダプタの構成例を示す図であり、（ａ）はその正面図、（ｂ）はその側面図、（ｃ）はその平面図、（ｄ）はその斜視図である。
【図２】図２は、本発明に係る角型菊座アダプタに先端工具（電線ベンダ装置）のヘッド部を取り付けた状態を示す図であり、（ａ）は第１の面の菊座部に取り付けた状態を示す図、（ｂ）は第２の面の菊座部に取り付けた状態を示す図である。
【図３】図３は、本発明に係る角型菊座アダプタに電線ベンダ装置を取り付けて引下げ縁線の癖直しをする作業を示す図であり、（ａ）は下方から電線ベンダ装置のローラを引下げ縁線に引っ掛けて癖取りを行う作業を示す図、（ｂ）は水平方向から電線ベンダ装置のローラを引下げ縁線に引っ掛けて癖取りを行う作業を示す図である。
【図４】図４は、本発明に係る角型菊座アダプタの他の構成例を示す図であり、（ａ）はその正面図、（ｂ）はその側面図、（ｃ）はその平面図、（ｄ）はその斜視図である。
【図５】図５は、既存の菊座アダプタとこれに取り付けられる従来の電線ベンダ装置を示す図であり、（ａ）はその正面図、（ｂ）はその側面図である。
【発明を実施するための形態】
【００１７】
以下、本発明に係る角型菊座アダプタについて図面を参照しながら説明する。
【００１８】
図１及び図２において、角型菊座アダプタ１は、共用操作棒２０に接続されるジョイント部２と、このジョイント部２と一体をなすアダプタ本体３とを有して構成されている。
【００１９】
ジョイント部２は、それ自体公知のもので、共用操作棒２０の先端部に設けられたアタッチメント本体２１が差込可能となるよう基端が開口された有底円筒状に形成され、その周面には、対向する２箇所にＴ字状の係合溝４が形成されている。
【００２０】
この係合溝４は、ジョイント部２の軸線に沿った方向に切れ込んだ第１の係合部４ａと、この第１の係合部４ａの先端から周方向に沿って切れ込んだ第２の係合部４ｂと、この第２の係合部４ｂの第１の係合部４ａと反対側端部からジョイント部２の軸線に沿って基端側へ切れ込んだ第３の係合部４ｃとから構成されている。
【００２１】
これに対して、アダプタ本体３は、共用操作棒２０の軸方向と略平行となる外側面（第１の面５ａ）を有する第１の壁部５と、第１の面５ａに対して垂直となる外側面（第２の面６ａ）を有する第２の壁部６とを備えたＬ字状の部材によって構成されている。
【００２２】
第１の壁部５の外側面（第１の面５ａ）には、第１の菊座部７が形成され、また、第２の壁部６の外側面（第２の面６ａ）には、第２の菊座部８が形成されている。
【００２３】
それぞれの菊座部７，８は、中心から放射状に延びると共に、それぞれの外側面から隆起する複数の突条が所定の角度間隔で円上に配列されて構成されている。この菊座部の突条形状や配列は、既存の菊座アダプタの菊座部と同様に形成され、先端工具のヘッド部に設けられた菊座部と噛合させることで先端工具をアダプタ本体３に対して所望の取付角度で接続できるようにしている。
【００２４】
第１の壁部５と第２の壁部６には、第１の菊座部７の中心から第２の菊座部８の中心にかけてスリット１０が形成されており、このスリット１０には、先端工具取り付け用のボルト１１がその頭部１１aを内側にして挿通されている。スリット１０の幅は、ボルト１１の径よりもわずかに大きく、また、頭部１１aの径よりも小さく形成されており、スリット１０を挿通させたボルト１１の先端側には、蝶ナット１２が螺合されている。
【００２５】
したがって、ボルト１１は、スリット１０を第１の菊座部７の中心から第２の菊座部８の中心にかけて移動可能であり、いずれかの菊座部７，８を選択して取り付けられる先端工具を蝶ナット１２により選択的に締め付け固定できるようになっている。
【００２６】
なお、この例では、ボルト１１の頭部１１ａと壁部の内側面との間にワッシャ１３が設けられ、ボルト１１の頭部１１aがスリット１０から抜けて脱落する恐れを防ぐと共に、先端工具の締め付け時にボルト１１が壁部（第１の壁部５又は第２の壁部６）に対して垂直に保たれるようにしているが、このワッシャ１３は、なくてもよい。
【００２７】
以上の構成において、例えば、図５で示す既存の電線ベンダ装置１００をこの角型菊座アダプタ１に取り付けて引下線の癖直し作業を行う例について説明すると、作業者が地上から引下線の癖直しをする場合には、共用操作棒２０の先端部のアタッチメント本体２１に角型菊座アダプタ１のジョイント部２を係合させた後に、ボルト１１をスリット１０内で移動させて第１の菊座部７の中心に配置し、電線ベンダ装置１００のヘッド部１０１の先端部を、第１の壁部５と蝶ナット１２との間に配置するように第１の面５ａに沿って動かし、ヘッド部１０１に設けられた切り欠き１１０（図５（ａ）に示す）にボルト１１を挿通させて電線ベンダ装置１００のヘッド部１０１に形成された菊座部１０５を第１の菊座部７と互いの中心を一致させ、取り付け角度を調整しつつ互いの突条を噛合させる。そして、その状態で蝶ナット１２を締め付けて電線ベンダ装置１００のヘッド部１０１を角型菊座アダプタ１の第１の菊座部７に固定する。
【００２８】
これにより、図３（ａ）に示されるように、共用操作棒２０を引下げ線Ａの下方から伸ばし、電線ベンダ装置１００のローラ１０３を支持する支軸１０４を水平状態にしてローラ１０３を引下げ線Ａに対して上方から当接させることが可能となり、その状態で共用操作棒２０を押し下げてローラ１０３を引下げ線Ａに上方から押し付けつつ、電線に沿って電線ベンダ装置１００を移動させることで電線の癖直しを行うことが可能となる。
【００２９】
また、作業者が例えば高所作業車のバケット内から引下線Ａの癖直しをする場合には、ボルト１１をスリット１０内で移動させて第２の菊座部８の中心に配置し、電線ベンダ装置１００のヘッド部１０１の先端部を、第２の壁部６と蝶ナット１２との間に配置するように第２の面６ａに沿って動かし、ヘッド部１０１に設けられた切り欠き１１０にボルト１１を挿通させて電線ベンダ装置１００のヘッド部１０１に形成された菊座部１０５を第２の菊座部８と互いの中心を一致させ、取り付け角度を調整しつつ互いの突条を噛合させる。そして、その状態で蝶ナット１２を締め付けて電線ベンダ装置１００のヘッド部１０１を角型菊座アダプタ１の第２の菊座部８に固定する。
【００３０】
これにより、図３（ｂ）に示されるように、共用操作棒２０を引下げ線Ａに対して水平方向から伸ばし、電線ベンダ装置１００のローラ１０３の軸を水平状態としてローラ１０３を引下げ線Ａに対して上方から当接させることが可能となり、その状態で共用操作棒２０を押し下げてローラ１０３を引下げ線Ａに上方から押し付けつつ、電線に沿って電線ベンダ装置１００を移動させることで電線の癖直しを行うことが可能となる。
【００３１】
このため、水平方向から作業を行う場合においても、癖取り作業を行っている電線を隣接する電線に近づけることなく作業を行うことが可能となり、隣り合う電線同士が接触する事態を回避することが可能となる。
【００３２】
したがって、同じ先端工具を用いる場合でも、従来よりも先端工具を用いた操作自由度を高めることが可能となり、作業位置にかかわらず、隣接する電線と接触することなく電線の癖取り作業を行うこと等が可能となり、作業効率を高めることできると共に作業位置が変更された場合でも作業を的確に行うことが可能となる。
【００３３】
なお、以上の構成は、アダプタ本体をＬ字状に形成して第１の菊座部と第２の菊座部とを設けた例を示したが、これに限定されるものではなく、例えば、図４に示されるような構成を採用してもよい。
【００３４】
この図４に示される構成は、アダプタ本体３を、操作棒の軸方向と略平行となる第１の壁部５と、第１の壁部５に対して垂直となる第２の壁部６と、第１の壁部５と平行となる第３の壁部１５と、第２の壁部６と平行となる第４の壁部１６とを順次連接した中空の矩形枠体状の部材によって構成し、第１の面５ａを第１の壁部５の外側面によって、また、第２の面６ａを第２の壁部６の外側面によってそれぞれ構成されている。
他の構成は、前記構成例と同様であるので、同一箇所の同一符号を付して説明を省略する。
【００３５】
このような構成においても、前記構成例と同様の作用効果を奏するほか、アダプタ本体３の強度を前記構成例よりも高めることが可能となり、不用意にアダプタ本体３が変形することがなくなる。
【００３６】
なお、ジョイント部２は、この例では共用操作棒２０の先端部に設けられたアタッチメント本体と接続するジョイント金具として構成したが、絶縁操作棒の先端部に設けられた菊座部と噛合する菊座部によって構成するようにしてもよい。
【符号の説明】
【００３７】
１  角型菊座アダプタ
２  ジョイント部
３  アダプタ本体
５ａ  第１の面
５  第１の壁部
６ａ  第２の面
６  第２の壁部
７  第１の菊座部
８  第２の菊座部
１０  スリット
１１  ボルト
１２  蝶ナット
１３  ワッシャ
２０  共用操作棒
【図１】
2016103913.tif 000003
【図２】
2016103913.tif 000004
【図３】
2016103913.tif 000005
【図４】
2016103913.tif 000006
【図５】
2016103913.tif 000007